(57)【要約】      （修正有）【課題】開放時に各種の傾斜角度に折り返すことができ、携帯機器を平置きして載置高さを増加させることもできる携帯機器用折り畳み式スタンドを提供する。【解決手段】支持板１０と、携帯機器凭掛板２０と、基板３０とを備え、支持板と携帯機器凭掛板との間に第１縦方向折曲部４１を有し、基板は、開放時に支持板を支持する係止片を有し、基板と係止片との間に第２縦方向折曲部を有し、基板と携帯機器凭掛板との間に第３縦方向折曲部４３を有し、スタンドの折り畳み収納時に、支持板、携帯機器凭掛板、基板及び係止片は、それぞれ第１縦方向折曲部、第２縦方向折曲部及び第３縦方向折曲部の折曲を利用して収合されて折り畳み形状を呈する。【選択図】図３
0003228432.tif 000002
【実用新案登録請求の範囲】
【請求項１】
支持板と、携帯機器凭掛板と、基板とを備える携帯機器用折り畳み式スタンドであって、
前記支持板と前記携帯機器凭掛板との間に第１縦方向折曲部を有し、
前記基板は、係止片を有し、前記基板と前記係止片との間に第２縦方向折曲部を有し、前記基板と前記携帯機器凭掛板との間に第３縦方向折曲部を有し、
前記携帯機器用折り畳み式スタンドの折り畳み収納時には、前記支持板から前記携帯機器凭掛板まで、前記基板から前記係止片まで、及び前記基板から前記携帯機器凭掛板まで、それぞれ前記第１縦方向折曲部、前記第３縦方向折曲部及び前記第２縦方向折曲部を折曲させることによって、前記支持板、前記携帯機器凭掛板及び前記基板を収合させて折り畳み形状を呈することを特徴とする、
携帯機器用折り畳み式スタンド。
【請求項２】
前記携帯機器用折り畳み式スタンドの開放時に、前記第１縦方向折曲部を折曲して前記支持板を開拡させ、前記第３縦方向折曲部を折曲して前記携帯機器凭掛板を開拡させ、及び前記第２縦方向折曲部を折曲して前記係止片を開拡させ、前記係止片で前記支持板を支持することにより、三角形態の携帯機器用スタンドを形成することを特徴とする、請求項１に記載の携帯機器用折り畳み式スタンド。
【請求項３】
前記係止片には、さらに重合片が延設され、前記係止片と前記重合片との間に第４縦方向折曲部を有し、前記重合片が前記支持板に重合されることを特徴とする、請求項２に記載の携帯機器用折り畳み式スタンド。
【請求項４】
前記携帯機器用折り畳み式スタンドの開放時に、前記第１縦方向折曲部を折曲して前記支持板を開拡させ、前記第３縦方向折曲部を折曲して前記携帯機器凭掛板を開拡させ、及び前記第２縦方向折曲部を折曲して前記係止片を開拡させ、前記係止片と前記支持板とを重合することにより、三角形態の携帯機器用スタンドを形成することを特徴とする、請求項１に記載の携帯機器用折り畳み式スタンド。
【請求項５】
前記係止片には、さらに重合片が延設され、前記係止片と前記重合片との間に第４縦方向折曲部を有し、前記携帯機器用折り畳み式スタンドの開放時に、前記第１縦方向折曲部を折曲して前記支持板を開拡させ、前記第３縦方向折曲部を折曲して前記携帯機器凭掛板を開拡させ、前記第２縦方向折曲部を折曲して前記係止片を開拡させ、及び前記第４縦方向折曲部を折曲して前記重合片を収合させ、前記重合片と前記支持板とを重合することにより、三角形態の携帯機器用スタンドを形成することを特徴とする、請求項１に記載の携帯機器用折り畳み式スタンド。
【請求項６】
前記基板は、第１連動片を有し、前記携帯機器凭掛板は、第２連動片を有し、前記第１連動片と前記第２連動片との間に第５縦方向折曲部を有し、前記携帯機器用折り畳み式スタンドの開放時に、前記第３縦方向折曲部を折曲して前記携帯機器凭掛板を開拡させ、前記第５縦方向折曲部を折曲して前記第１連動片及び前記第２連動片を開拡させ、前記第１連動片と前記基板とを重合し、及び前記第２連動片で前記携帯機器凭掛板を支持することにより、三角形態の携帯機器用スタンドを形成することを特徴とする、請求項１に記載の携帯機器用折り畳み式スタンド。
【請求項７】
前記支持板は、第３連動片を有し、前記携帯機器凭掛板は、第４連動片を有し、前記第３連動片と前記第４連動片との間に第６縦方向折曲部を有し、前記携帯機器用折り畳み式スタンドの開放時に、前記第１縦方向折曲部を折曲して前記支持板を開拡させ、前記第６縦方向折曲部を折曲して前記第３連動片及び前記第４連動片を開拡させ、前記第３連動片と前記支持板とを重合し、及び前記第４連動片で前記支持板を支持することにより、前記携帯機器凭掛板の両面に２つの三角形態が形成された携帯機器用スタンドを構成することを特徴とする、請求項６に記載の携帯機器用折り畳み式スタンド。
【請求項８】
前記携帯機器凭掛板は、外部の携帯機器を挟設するための少なくとも１つの挟装片を有することを特徴とする、請求項１に記載の携帯機器用折り畳み式スタンド。
【請求項９】
前記支持板、前記携帯機器凭掛板及び前記基板の一部分は、互いに磁気吸引性能を有することを特徴とする、請求項１に記載の携帯機器用折り畳み式スタンド。
【請求項１０】
前記係止片及び前記重合片の一部分は、互いに磁気吸引性能を有することを特徴とする、請求項３に記載の携帯機器用折り畳み式スタンド。
【考案の詳細な説明】
【技術分野】
【０００１】
本考案は、携帯機器用スタンドに係り、特に、携帯機器用折り畳み式スタンド構造に関するものである。
【背景技術】
【０００２】
近年、電子製品の開発の高度化に伴い、スマート型携帯電話、タブレット、キーボードまたはノートブック型パソコンなどの電子装置の迅速な普及に拍車をかかっており、通信、娯楽や仕事などの用途を実現するため、人々はスマート型携帯電話、タブレット、キーボードまたはノートブック型パソコンなどの電子装置を常時携帯することが習慣となっている。これによって、通信、娯楽や仕事などの用途を使用者が便利に行うことができる。しかしながら、携帯機器の携帯電話用ホルダー構造のいずれも相当複雑であり、メンテナンスが不便であり、及び製作コストが比較的高いという問題があり、改良する必要性が高い。
【考案の概要】
【考案が解決しようとする課題】
【０００３】
本考案の目的は、収納時に、相互に積み重ねられて折り畳み形状を呈する、携帯機器用折り畳み式スタンドを提供することにある。
【０００４】
本考案の別の目的は、開放時に、各種の傾斜角度に折り返すことができる、携帯機器用折り畳み式スタンドを提供することにある。
【０００５】
本考案のさらに別の目的は、開放時に、折り返すことができ、携帯機器を平置きして携帯機器の載置高さを増加させる、携帯機器用折り畳み式スタンドを提供することにある。
【課題を解決するための手段】
【０００６】
上記目的を達成するための、本考案が提供する携帯機器用折り畳み式スタンドは、支持板と、携帯機器凭掛板と、基板とを備え、支持板と携帯機器凭掛板との間に第１縦方向折曲部を有し、基板は、係止片を有し、基板と係止片との間に第２縦方向折曲部を有し、基板と携帯機器凭掛板との間に第３縦方向折曲部を有し、その内、携帯機器用折り畳み式スタンドの折り畳み収納時に、支持板、携帯機器凭掛板、基板及び係止片は、それぞれ第１縦方向折曲部、第２縦方向折曲部及び第３縦方向折曲部の折曲を利用して収合されて、相互に積み重ねられて折り畳み形状を呈する。
【考案の効果】
【０００７】
本考案の携帯機器用折り畳み式スタンドは、開放時に各種の傾斜角度に折り返すことができ、開放時に折り返すことができ、携帯機器を平置きして携帯機器の載置高さを増加させることができる。
【図面の簡単な説明】
【０００８】
【図１】本考案の展開状態を示す正面外観図である。
【図２】本考案の展開状態を示す裏面外観図である。
【図３】本考案の折り畳み収納状態を示す正面外観図である。
【図４】本考案の折り畳み収納状態を示す裏面分解図である。
【図５】本考案の第１実施形態の開放状態を示す正面外観図である。
【図６】本考案の第１実施形態の開放状態を示す裏面外観図である。
【図７】本考案の第２実施形態の開放状態を示す正面外観図である。
【図８】本考案の第２実施形態の開放状態を示す裏面外観図である。
【図９】本考案の第３実施形態の開放状態を示す正面外観図である。
【図１０】本考案の第３実施形態の開放状態を示す裏面外観図である。
【図１１】本考案の第４実施形態の開放状態を示す正面外観図である。
【図１２】本考案の第４実施形態の開放状態を示す裏面外観図である。
【図１３】本考案の第５実施形態の開放状態を示す正面外観図である。
【図１４】本考案の第５実施形態の開放状態を示す裏面外観図である。
【図１５】本考案の使用状態を示す図である。
【考案を実施するための形態】
【０００９】
図１〜図４には、それぞれ本考案の携帯機器用折り畳み式スタンドの展開状態の正面外観図、展開状態の裏面外観図、折り畳み収納状態の正面外観図及び折り畳み収納状態の裏面外観図が示されている。
本考案では、携帯機器用折り畳み式スタンド１が開示される。図中に示すように、携帯機器用折り畳み式スタンド１は、支持板１０と、携帯機器凭掛板２０と、基板３０とを備え、支持板１０と携帯機器凭掛板２０との間に第１縦方向折曲部４１を有し、基板３０は、係止片３１を有し、基板３０と係止片３１との間に第２縦方向折曲部４２を有し、基板３０と携帯機器凭掛板２０との間に第３縦方向折曲部４３を有する。
携帯機器用折り畳み式スタンド１の折り畳み収納時には、支持板１０から携帯機器凭掛板２０まで、基板３０から係止片３１まで、及び基板３０から携帯機器凭掛板２０までが、それぞれ第１縦方向折曲部４１、第３縦方向折曲部４３及び第２縦方向折曲部４２の折曲を利用して収合されて、相互に積み重ねられて折り畳み形状を呈する。
【００１０】
前記携帯機器凭掛板２０は、少なくとも１つの挟装片２１を有してもよく、当該挟装片２１は、外部の携帯機器を挟設するために用いられる（図１５を参照）。前記支持板１０、前記携帯機器凭掛板２０及び前記基板３０の一部分は、互いに磁気吸引性能を有してもよい。
【００１１】
[第１実施形態]
図５〜図６には、それぞれ本考案の第１実施形態の携帯機器用折り畳み式スタンドの開放状態の正面外観図及び開放状態の裏面外観図が示されている。
本考案では、略２５度傾いた傾斜面を有する第１の三角形態の携帯機器用折り畳み式スタンド１が開示される。図中に示すように、前記携帯機器用折り畳み式スタンド１の開放時に、前記第３縦方向折曲部４３を折曲して前記携帯機器凭掛板２０を開拡させ、前記第２縦方向折曲部４２を折曲して前記係止片３１を開拡させ、前記第１縦方向折曲部４１を折曲して支持板１０を開拡させることで、前記係止片３１によって前記支持板１０を支持させ、前記支持板１０によって前記携帯機器凭掛板２０を連携支持させることにより、第１の三角形態の携帯機器用スタンドを形成し、前記携帯機器凭掛板２０を外部の携帯機器（図１５を参照）に当接させる。本明細書に記述された携帯機器５は、ノートブック型パソコン、携帯電話、タブレットまたはキーボードなどの端末であってもよい。
【００１２】
前記係止片３１には、さらに重合片３１１が延設され、前記係止片３１と前記重合片３１１との間に第４縦方向折曲部４４を有し、前記重合片３１１が前記支持板１０に重合される。さらに、前記重合片３１１及び前記支持板１０の一部分または全体は、互いに磁気吸引性能を有してもよい。
【００１３】
このほか、前記第１縦方向折曲部４１を折曲しないで、支持板１０を開拡させることなく、持続的に前記携帯機器凭掛板２０上に停留重置され、それから前記係止片３１で前記携帯機器凭掛板２０を支持することにより、前記携帯機器凭掛板２０の一部分または前記支持板１０の一部分を外部の携帯機器５に当接させる。また、前記係止片３１には、さらに重合片３１１が延設され、前記重合片３１１が前記携帯機器凭掛板２０に直接重合される。さらに、前記携帯機器凭掛板２０、前記係止片３１及び前記重合片３１１の一部分は、互いに磁気吸引性能を有してもよい。
【００１４】
[第２実施形態]
図７〜図８には、それぞれ本考案の第２実施形態の携帯機器用折り畳み式スタンドの開放状態の正面外観図及び開放状態の裏面外観図が示されている。
本考案では、略４５度傾いた傾斜面を有する第２の三角形態の携帯機器用折り畳み式スタンド１が開示される。図中に示すように、携帯機器用折り畳み式スタンド１の開放時に、前記第１縦方向折曲部４１を折曲して前記支持板１０を開拡させ、前記第３縦方向折曲部４３を折曲して前記携帯機器凭掛板２０を開拡させ、及び前記第２縦方向折曲部４２を折曲して前記係止片３１を開拡させることで、前記係止片３１と前記支持板１０とを重合位置決めすることにより、外部の携帯機器を前記携帯機器凭掛板２０に傾斜当接させて、第２の三角形態の携帯機器用スタンドを形成する。
【００１５】
この実施形態において、前記係止片３１には、さらに重合片３１１が延設され、前記係止片３１と前記重合片３１１との間に第４縦方向折曲部４４を有し、前記重合片３１１及び前記係止片３１が同時に前記支持板１０に重合される。また、前記係止片３１、前記重合片３１１及び前記支持板１０の一部分または全体は、互いに磁気吸引性能を有してもよい。
【００１６】
[第３実施形態]
図９〜図１０には、それぞれ本考案の第３実施形態の携帯機器用折り畳み式スタンドの開放状態の正面外観図及び開放状態の裏面外観図が示されている。
本考案では、略３５度傾いた傾斜面を有する第３の三角形態の携帯機器用折り畳み式スタンド１が開示される。図中に示すように、前記係止片３１には、さらに重合片３１１が延設され、前記係止片３１と前記重合片３１１との間に第４縦方向折曲部４４を有する。前記携帯機器用折り畳み式スタンド１の開放時には、前記第１縦方向折曲部４１を折曲して前記支持板１０を開拡させ、前記第３縦方向折曲部４３を折曲して前記携帯機器凭掛板２０を開拡させ、前記第２縦方向折曲部４２を折曲して前記係止片３１を開拡させ、及び前記第４縦方向折曲部４４を折曲して前記重合片３１１を収合させ、前記重合片３１１と前記支持板１０とを重合することにより、外部の携帯機器を前記携帯機器凭掛板２０に傾斜当接させて、第３の三角形態の携帯機器用スタンドを形成する。
【００１７】
[第４実施形態]
図１１〜図１２には、それぞれ本考案の第４実施形態の携帯機器用折り畳み式スタンドの開放状態の正面外観図及び開放状態の裏面外観図が示されている。
本考案では、略６０度傾いた傾斜面を有する第４の三角形態の携帯機器用折り畳み式スタンド１が開示される。図中に示すように、前記基板３０は、第１連動片３２を有し、前記携帯機器凭掛板２０は、第２連動片２２を有し、前記第１連動片３２と前記第２連動片２２との間に第５縦方向折曲部４５を有する。前記携帯機器用折り畳み式スタンド１の開放時には、前記第３縦方向折曲部４３を折曲して前記携帯機器凭掛板２０を開拡させ、前記第５縦方向折曲部４５を折曲して第１連動片３２及び第２連動片２２を開拡させ、前記第１連動片３２と基板３０とを重合し、及び前記第２連動片２２で前記携帯機器凭掛板２０を支持することにより、外部の携帯機器を前記携帯機器凭掛板２０に傾斜当接させて、第４の三角形態の携帯機器用スタンドを形成する。
【００１８】
このほか、本実施形態において、前記第１縦方向折曲部４１を折曲してさらに前記支持板１０を開拡させて、前記第２連動片２２に凭せ掛けられるので、前記携帯機器凭掛板２０に容易に外部の携帯機器を平坦に置くことができる。また、前記係止片３１には、さらに重合片３１１が延設され、前記係止片３１と前記重合片３１１との間に第４縦方向折曲部４４を有し、前記第４縦方向折曲部４４のわずかな折曲を利用して前記重合片３１１を前記支持板１０に重合させる。さらに、前記係止片３１、前記重合片３１１及び前記支持板１０の一部分または全体は、互いに磁気吸引性能を有してもよい。
【００１９】
[第５実施形態]
図１３〜図１４には、それぞれ本考案の第５実施形態の携帯機器用折り畳み式スタンドの開放状態の正面外観図及び開放状態の裏面外観図が示されている。
本考案では、平置きした携帯機器の第５の向き反対にした２つの三角形態の携帯機器用折り畳み式スタンド１が開示される。前述の第４実施形態に続き、図中に示すように、前記支持板１０は、第３連動片１１を有し、前記携帯機器凭掛板２０は、第４連動片２３を有し、前記第３連動片１１と前記第４連動片２３との間に第６縦方向折曲部４６を有する。前記携帯機器用折り畳み式スタンド１の開放時には、前記第１縦方向折曲部４１を折曲して前記支持板１０を開拡させ、前記第６縦方向折曲部４６を折曲して前記第３連動片１１及び前記第４連動片２３を開拡させ、前記第３連動片１１と前記支持板１０とを重合し、及び前記第４連動片２３で前記支持板１０を支持することにより、本来の携帯機器凭掛板２０を変形させて前記支持板１０を支持し、本来の支持板１０を変形して携帯機器を平置きして携帯機器の載置高さを増加させることを達成できる。これにより、第５の向き反対にした２つの三角形態の携帯機器用スタンドを形成する。
【００２０】
このほか、本実施形態において、前記係止片３１には、さらに重合片３１１が延設され、前記係止片３１と前記重合片３１１との間に第４縦方向折曲部４４を有し、前記第２縦方向折曲部４２の折曲を利用して前記重合片３１１を前記第２連動片２２に重合させる。さらに、前記係止片３１、前記重合片３１１及び前記第２連動片２２の一部分または全体は、互いに磁気吸引性能を有してもよい。
【符号の説明】
【００２１】
１  携帯機器用折り畳み式スタンド
１０  支持板
１１  第３連動片
２０  携帯機器凭掛板
２１  挟装片
２２  第２連動片
２３  第４連動片
３０  基板
３１  係止片
３１１  重合片
３２  第１連動片
４１  第１縦方向折曲部
４２  第２縦方向折曲部
４３  第３縦方向折曲部
４４  第４縦方向折曲部
４５  第５縦方向折曲部
４６  第６縦方向折曲部
【図１】
0003228432.tif 000003
【図２】
0003228432.tif 000004
【図３】
0003228432.tif 000005
【図４】
0003228432.tif 000006
【図５】
0003228432.tif 000007
【図６】
0003228432.tif 000008
【図７】
0003228432.tif 000009
【図８】
0003228432.tif 000010
【図９】
0003228432.tif 000011
【図１０】
0003228432.tif 000012
【図１１】
0003228432.tif 000013
【図１２】
0003228432.tif 000014
【図１３】
0003228432.tif 000015
【図１４】
0003228432.tif 000016
【図１５】
0003228432.tif 000017